【手続補正書】
【提出日】平成17年2月18日(2005.2.18)
【手続補正１】
【補正対象書類名】明細書
【補正対象項目名】発明の名称
【補正方法】変更
【補正の内容】
【発明の名称】インクジェット記録装置及び該装置の制御方法
【手続補正２】
【補正対象書類名】明細書
【補正対象項目名】特許請求の範囲
【補正方法】変更
【補正の内容】
【特許請求の範囲】
【請求項１】
インクを吐出して記録を行う記録ヘッドと、前記記録ヘッドへ供給するインクを貯蔵するインクタンク及び記憶部を有するインクカートリッジを具えるインクジェット記録装置であって、前記インクカートリッジは装置本体に着脱可能に接合されているインクジェット記録装置において、
前記インクジェット記録装置が行う所定動作ごとに本体稼動量情報を作成する本体稼動量情報作成手段と、
前記本体稼動量情報作成手段が作成した本体稼動量情報を、該本体稼動量情報が更新されるごとに前記インクカートリッジ内の記憶部へ送信し、且つ、前記インクカートリッジ内の記憶部へ前記本体稼動量情報を送信する回数が所定数に到達する毎に、インクジェット装置本体に設けられた本体記憶部及び前記インクカートリッジ内の記憶部へ前記本体稼動量情報を送信するデータ送信手段と、
前記インクジェット記録装置が起動されたときに、前記インクカートリッジ内の記憶部及び前記本体記憶部に保存されている本体稼動量情報を比較し、より最新のデータをインクジェット記録装置本体の各制御に利用する本体制御手段とを具えることを特徴とするインクジェット記録装置。
【請求項２】
前記本体稼動量情報は、累積総吐出回数を含み、前記本体制御手段は、前記インクジェット記録装置が起動されたときに、前記インクカートリッジ内の記憶部及び前記本体記憶部に保存されているそれぞれの累積総吐出回数を比較し、数値の大きい方を最新のデータと判断することを特徴とする請求項１に記載のインクジェット記録装置。
【請求項３】
前記本体稼動量情報は、記録ヘッド回復処理後の累積吐出回数を含み、前記本体制御手段は、前記インクジェット記録装置が起動されたときに、前記インクカートリッジ内の記憶部及び前記本体記憶部に保存されているそれぞれの前記記録ヘッド回復処理後の累積吐出回数を比較し、数値の大きい方を最新のデータと判断することを特徴とする請求項１に記載のインクジェット記録装置。
【請求項４】
前記本体稼動量情報は、記録ヘッド交換後の累積吐出回数を含み、前記本体制御手段は、前記インクジェット記録装置が起動されたときに、前記インクカートリッジ内の記憶部及び前記本体記憶部に保存されているそれぞれの前記記録ヘッド交換後の累積吐出回数を比較し、数値の大きい方を最新のデータと判断することを特徴とする請求項１に記載のインクジェット記録装置。
【請求項５】
前記本体稼動量情報は、予備吐出処理において行われた累積吐出回数を含み、前記本体制御手段は、前記インクジェット記録装置が起動されたときに、前記インクカートリッジ内の記憶部及び前記本体記憶部に保存されているそれぞれの前記予備吐出処理において行われた累積吐出回数を比較し、
数値の大きい方を最新のデータと判断することを特徴とする請求項１に記載のインクジェット記録装置。
【請求項６】
前記本体稼動量情報作成手段は、１ページ記録されるごとに本体稼動量情報を更新することを特徴とする請求項１ないし５のいずれかに記載のインクジェット記録装置。
【請求項７】
データ送信手段は、インクカートリッジ内の記憶部への本体稼動量情報の送信回数が１０Ｎ回（Ｎは整数）に到達する毎に、インクジェット装置本体に設けられた本体記憶部及び前記インクカートリッジ内の記憶部へ前記本体稼動量情報を送信することを特徴とする請求項１ないし６のいずれかに記載のインクジェット記録装置。
【請求項８】
前記インクカートリッジは個々に識別可能な識別番号を有しており、前記本体制御手段は装着されているインクカートリッジの前記識別番号を記憶し、装置本体の電源切断後再起動されたときに、現在装着されているインクカートリッジの識別番号を読み取り、前記予め記憶しておいた識別番号と比較し、両者が一致しない場合は、前記本体記憶部に保存されている前記本体稼動量情報をインクジェット記録装置本体の各制御に利用することを特徴とする請求項１に記載のインクジェット記録装置。
【請求項９】
前記本体制御手段が、前記本体記憶部に保存されている前記本体稼動量情報をインクジェット記録装置本体の各制御に利用した場合、前記データ送信手段は、前記本体記憶部が保存している本体稼動量情報をインクカートリッジ内の記憶部へ送信することを特徴とする請求項１または８に記載のインクジェット記録装置。
【請求項１０】
記録ヘッドへ供給するインクを貯蔵するインクタンクと不揮発性メモリとを有するインクカートリッジが着脱可能であり、前記記録ヘッドを用いて記録を行うインクジェット記録装置であって、
記録動作に関する情報を保持する第２不揮発性メモリと、
所定の記録動作を行う毎に、前記不揮発性メモリに前記記録動作に関する情報を格納する制御手段とを備え、
前記制御手段は、前記不揮発性メモリへの前記記録動作に関する情報の格納回数が所定の値になった場合、前記前記記録動作に関する情報を前記第２不揮発性メモリに格納することを特徴とするインクジェット記録装置。
【請求項１１】
所定のタイミングにて、前記不揮発メモリ及び前記第２不揮発メモリに保存されているそれぞれの記録動作に関する情報の値を比較を行い、値の大きい方を用いてインクジェット記録装置の制御を行うことを特徴とする請求項１０に記載のインクジェット記録装置。
【請求項１２】
所定のタイミングにて、前記不揮発メモリ及び前記第２不揮発メモリに保存されているそれぞれの記録動作に関する情報の値を比較を行い、前記不揮発メモリに保存されている記録動作に関する情報の値が前記第２不揮発メモリに保存されている記録動作に関する情報の値より大きい場合には、前記不揮発メモリに保存されている記録動作に関する情報を用いてインクジェット記録装置の制御を行うことを特徴とする請求項１０に記載のインクジェット記録装置。
【請求項１３】
所定のタイミングにて、前記不揮発メモリ及び前記第２不揮発メモリに保存されているそれぞれ識別情報の比較を行い、両者が一致する場合には、前記不揮発メモリに保存されている記録動作に関する情報を用いてインクジェット記録装置の制御を行うことを特徴とする請求項１０に記載のインクジェット記録装置。
【請求項１４】
記録ヘッドからインクを吐出して記録を行い、前記記録ヘッドへ供給するインクを貯蔵するインクタンク及び記憶部を有するインクカートリッジを具えるインクジェット記録装置であって、前記インクカートリッジは装置本体に着脱可能に接合されているインクジェット記録装置の制御方法において、
前記インクジェット記録装置が行う動作ごとに本体稼動量情報を作成する本体稼動量情報作成工程と、
前記本体稼動量情報作成工程が作成した本体稼動量情報を、該本体稼動量情報が更新されるごとに前記インクカートリッジ内の記憶部へ送信し、且つ、前記インクカートリッジ内の記憶部へ前記本体稼動量情報を送信する回数が所定数に到達する毎に、インクジェット装置本体に設けられた本体記憶部及び前記インクカートリッジ内の記憶部へ前記本体稼動量情報を送信するデータ送信工程と、
前記インクジェット記録装置が再起動されたときに、前記インクカートリッジ内の記憶部及び前記本体記憶部に保存されている本体稼動量情報を比較し、より最新のデータをインクジェット記録装置本体の各制御に利用する本体制御工程と
を具えることを特徴とするインクジェット記録装置の制御方法。
【手続補正３】
【補正対象書類名】明細書
【補正対象項目名】０００１
【補正方法】変更
【補正の内容】
【０００１】
【発明の属する技術分野】
本発明は情報管理方法及び該情報管理方法を用いたインクジェット記録装置に関し、詳しくはインクジェット記録装置の稼動情報を管理する方法及び当該方法を用いたインクジェット記録装置及び該装置の制御方法に関する。
【手続補正４】
【補正対象書類名】明細書
【補正対象項目名】０００８
【補正方法】変更
【補正の内容】
【０００８】
【課題を解決するための手段】
本発明のインクジェット記録装置は、インクを吐出して記録を行う記録ヘッドと、前記記録ヘッドへ供給するインクを貯蔵するインクタンク及び記憶部を有するインクカートリッジを具えるインクジェット記録装置であって、前記インクカートリッジは装置本体に着脱可能に接合されているインクジェット記録装置において、前記インクジェット記録装置が行う所定動作ごとに本体稼動量情報を作成する本体稼動量情報作成手段と、前記本体稼動量情報作成手段が作成した本体稼動量情報を、該本体稼動量情報が更新されるごとに前記インクカートリッジ内の記憶部へ送信し、且つ、前記インクカートリッジ内の記憶部へ前記本体稼動量情報を送信する回数が所定数に到達する毎に、インクジェット装置本体に設けられた本体記憶部及び前記インクカートリッジ内の記憶部へ前記本体稼動量情報を送信するデータ送信手段と、前記インクジェット記録装置が起動されたときに、前記インクカートリッジ内の記憶部及び前記本体記憶部に保存されている本体稼動量情報を比較し、より最新のデータをインクジェット記録装置本体の各制御に利用する本体制御手段とを具えることを特徴とする。  
また、本発明の別のインクジェット記録装置は、記録ヘッドへ供給するインクを貯蔵するインクタンクと不揮発性メモリとを有するインクカートリッジが着脱可能であり、前記記録ヘッドを用いて記録を行うインクジェット記録装置であって、記録動作に関する情報を保持する第２不揮発性メモリと、所定の記録動作を行う毎に、前記不揮発性メモリに前記記録動作に関する情報を格納する制御手段とを備え、前記制御手段は、前記不揮発性メモリへの前記記録動作に関する情報の格納回数が所定の値になった場合、前記前記記録動作に関する情報を前記第２不揮発性メモリに格納することを特徴とする。
【手続補正５】
【補正対象書類名】明細書
【補正対象項目名】０００９
【補正方法】変更
【補正の内容】
【０００９】
また、本発明のインクジェット記録装置の制御方法は、記録ヘッドからインクを吐出して記録を行い、前記記録ヘッドへ供給するインクを貯蔵するインクタンク及び記憶部を有するインクカートリッジを具えるインクジェット記録装置であって、前記インクカートリッジは装置本体に着脱可能に接合されているインクジェット記録装置の制御方法において、前記インクジェット記録装置が行う動作ごとに本体稼動量情報を作成する本体稼動量情報作成工程と、前記本体稼動量情報作成工程が作成した本体稼動量情報を、該本体稼動量情報が更新されるごとに前記インクカートリッジ内の記憶部へ送信し、且つ、前記インクカートリッジ内の記憶部へ前記本体稼動量情報を送信する回数が所定数に到達する毎に、インクジェット装置本体に設けられた本体記憶部及び前記インクカートリッジ内の記憶部へ前記本体稼動量情報を送信するデータ送信工程と、前記インクジェット記録装置が再起動されたときに、前記インクカートリッジ内の記憶部及び前記本体記憶部に保存されている本体稼動量情報を比較し、より最新のデータをインクジェット記録装置本体の各制御に利用する本体制御工程と、を具えることを特徴とする。